(57)【要約】【課題】  上下する軸が露出しないようにして安全性の向上を図り、把持する所を自在にして操作性の向上を図る。【解決手段】  路面等に形成された氷Ｋに当接させる先端２を有した棒状のタガネ１と、タガネ１が一端開口１１からタガネ１の先端２が露出した状態で進出位置及び後退位置に進退可能に挿入されるとともに把持可能なパイプ状の把持杆１０と、把持杆１０の内部に設けられタガネ１の後退位置でタガネ１の後端が衝止するストッパ部材２０と、タガネ１の進出位置でタガネ１の把持杆１０に対する抜けを阻止する抜け止め手段４０とを備えた。【選択図】  図１
0003107296.tif 000002
【実用新案登録請求の範囲】
【請求項１】
路面等に形成された氷に当接させる先端を有した棒状のタガネと、該タガネが一端開口から該タガネの先端が露出した状態で進出位置及び後退位置に進退可能に挿入されるとともに把持可能なパイプ状の把持杆と、該把持杆の内部に設けられ上記タガネの後退位置で該タガネの後端が衝止するストッパ部材と、上記タガネの進出位置で該タガネの把持杆に対する抜けを阻止する抜け止め手段とを備えたことを特徴とする砕氷具。
【請求項２】
上記タガネ，把持杆及びストッパ部材を金属で形成し、上記ストッパ部材を把持杆に溶接固定したことを特徴とする請求項１記載の砕氷具。
【請求項３】
上記抜け止め手段を、上記タガネの後端部側に設けた段部と、上記把持杆の一端部に設けられ上記段部が衝止する衝止部とを備えて構成したことを特徴とする請求項１または２記載の砕氷具。
【請求項４】
上記衝止部を上記把持杆の一端部に着脱可能に設けたことを特徴とする請求項３記載の砕氷具。
【請求項５】
上記タガネを断面多角形状に形成し、上記把持杆の一端開口を該タガネの断面形状と同形状の多角形状に形成したことを特徴とする請求項１，２，３または４記載の砕氷具。
【考案の詳細な説明】
【技術分野】
【０００１】
本考案は、路面等に積もった雪が融ける等して凍結した氷を砕くこと等に使用する砕氷具に関する。
【背景技術】
【０００２】
従来、この種の砕氷具としては、例えば、特許文献１（実開平５−１６１６３号公報）記載の技術が知られている。
図８に示すように、この砕氷具１００は、左右１対のハンドル１０２を備えた中空軸１０１と、中空軸１０１に進退自在に貫通して設けられた軸１０３と、軸１０３の上部に設けられ中空軸１０１に衝止するストッパ部材１０４と、軸１０３の先端部に設けられ基端１０５ａが軸１０３より大径で先端１０５ｂが尖ったタガネ１０５とを備えて構成されている。
【０００３】
そして、この砕氷具１００を使用するときは、軸１０３のタガネ１０５の先端１０５ｂを路面等に形成された氷に当接させ、両手でハンドル１０２を握り、中空軸１０１を軸１０３の中央付近に来るように合わせ、軸１０３が上下方向に自由に動くようにする。
次に、中空軸１０１を軸１０３の上部のストッパ部材１０４まで持ち上げた後、中空軸１０１を振り下ろしてタガネ１０５の基端１０５ａに衝撃荷重を加えて砕氷する。
これにより、砕氷具１００のタガネ１０５の先端１０５ｂの位置が動かないので効率の良い砕氷が行なえ、砕氷具１００自体を持ち上げないので疲労の少ない作業を可能にしている。
【０００４】
【特許文献１】実開平５−１６１６３号公報
【考案の開示】
【考案が解決しようとする課題】
【０００５】
ところで、従来の砕氷具１００においては、中空軸１０１を上下に動かして砕氷するが、中空軸１０１の上端１１０から軸１０３が露出しているので、上端１１０と軸１０３の間に衣服や皮膚を巻き込み、挟んでしまうことがあり安全性に劣るという問題があった。
また、砕氷時に砕氷具１００を持つ部分がハンドル１０２の一箇所しかないので、把持の自由度が少なく、作業者の背の高さ等の条件に合わせにくい等、操作性に劣るという問題があった。
本考案は上記の問題点に鑑みて為されたもので、上下する軸が露出しないようにして安全性の向上を図り、把持するところを自在にして操作性の向上を図った砕氷具を提供することを目的とする。
【課題を解決するための手段】
【０００６】
このような目的を達成するための本考案の技術的手段は、路面等に形成された氷に当接させる先端を有した棒状のタガネと、該タガネが一端開口から該タガネの先端が露出した状態で進出位置及び後退位置に進退可能に挿入されるとともに把持可能なパイプ状の把持杆と、該把持杆の内部に設けられ上記タガネの後退位置で該タガネの後端が衝止するストッパ部材と、上記タガネの進出位置で該タガネの把持杆に対する抜けを阻止する抜け止め手段とを備えた構成としている。
【０００７】
これにより、路面等に形成された氷を砕氷するときは、把持杆を握り、タガネの先端を氷に当接させ、この把持杆を持ち上げてタガネを進出位置側に位置させた後、把持杆を振り下ろしてタガネを後退位置に位置させ、把持杆のストッパ部材にタガネの後端を衝止させる。これにより、タガネに衝撃荷重が加えられ、氷が砕かれる。この把持杆の持ち上げ振り下ろしは、１回若しくは適宜数繰り返し行ない、そして、適時にタガネの当接位置を移動させながら、路面の氷を砕氷していく。
【０００８】
この場合、タガネは把持杆の一端開口から出入りし、把持杆の他端開口から出ることはないので、砕氷時に把持杆が上下しても衣服や皮膚を巻き込んだり、挟んでしまうことがなく安全性が確保される。
また、把持杆はパイプ状であり、ハンドルや握りに合わせた凹凸が無いので、把持杆のどこでも握ることができ、作業者の背の高さ等の条件に制限されることが無く、そのため、操作性の向上が図られる。
更に、この砕氷具の移動の際には、氷からタガネが離間し、タガネが進出位置に位置するが、抜け止め手段があるのでタガネが抜けることが防止され、この点でも安全性が確保される。
【０００９】
そして、必要に応じ、上記タガネ，把持杆及びストッパ部材を金属で形成し、上記ストッパ部材を把持杆に溶接固定した構成としている。ストッパ部材を溶接固定するので、ストッパ部材の固定が強固になり、タガネの衝撃を確実に受けることができるようになる。
【００１０】
また、上記抜け止め手段を、上記タガネの後端部側に設けた段部と、上記把持杆の一端部に設けられ上記段部が衝止する衝止部とを備えて構成している。タガネの進出位置では、段部が衝止部に衝止して進出が規制され、抜け止めされる。構造を簡単にして、抜け止めを行なうことができる。
この場合、上記衝止部を上記把持杆の一端部に着脱可能に設けたことが有効である。衝止部を取外すと、タガネを把持杆から抜くことができるので、タガネの交換が容易となる。また、交換が容易なので、タガネの先端の形状が異なるものを取り付けて使用することもでき、汎用性を向上させることができる。
【００１１】
更に、必要に応じ、上記タガネを断面多角形状に形成し、上記把持杆の一端開口を該タガネの断面形状と同形状の多角形状に形成した構成としている。多角形状なので、タガネが把持杆に対して回転することがなく、回り止めされることから、タガネの進退動を確実に行なわせることができる。
【考案の効果】
【００１２】
本考案の砕氷具によれば、タガネが把持杆にその一端開口から先端が露出した状態で進出位置及び後退位置に進退可能に挿入され、後退位置で内部のストッパ部材に衝止する構造なので、タガネは把持杆の一端開口から出入りし、把持杆の他端開口から外部へ飛び出ないことから、砕氷時に把持杆が上下しても衣服や皮膚を巻き込んだり、挟んでしまうことがなく、安全性の向上を図ることができる。また、把持杆の把持する位置は自在になっているので、使用者の身長等の条件に制限されることなく誰にでも使用することができ、さらに、把持したい所を持って砕氷できるので操作性を向上させることができる。
【考案を実施するための最良の形態】
【００１３】
以下、添付図面に基づいて、本考案の実施の形態に係る砕氷具について詳細に説明する。
図１乃至図４に示すように、本考案の実施の形態に係る砕氷具Ｓは、路面等に形成された氷Ｋに当接させる先端２を有した棒状のタガネ１を備えている。タガネ１は、鉄等の金属製であり、断面円形で、先端２が尖って形成されている。タガネ１は、先端２側の小径部３と、後端側の大径部４とからなり、大径部４と小径部３との境界に後述の段部４１が形成されている。
【００１４】
タガネ１は、把持可能なパイプ状の把持杆１０に保持されている。把持杆１０は、鉄等の金属製である。タガネ１は、把持杆１０の一端開口１１からタガネ１の先端２が露出した状態で進出位置Ｘ（図２，図４（ａ））及び後退位置Ｙ（図１，図２，図４（ｂ））に進退可能に挿入されている。把持杆１０の他端開口１２は、栓１３により塞がれている。また、把持杆１０には、適宜の色が付されている。
【００１５】
また、把持杆１０の内部には、タガネ１の後退位置Ｙでタガネ１の後端が衝止するストッパ部材２０が設けられている。ストッパ部材２０は、鉄等の金属製の円柱ブロックであり、把持杆１０に嵌挿されて溶接され、把持杆１０に固定されている。この場合、把持杆１０及びストッパ部材２０に金属製のピンを貫通させ、ストッパ部材２０の固定強度を向上させても良い。
【００１６】
更に、この砕氷具Ｓには、タガネ１の進出位置Ｘでタガネ１の把持杆１０に対する抜けを阻止する抜け止め手段４０が設けられている。抜け止め手段４０は、タガネ１の後端部側に設けた段部４１と、把持杆１０の一端部に設けられ段部４１が衝止する衝止部４２とを備えて構成されている。詳しくは、段部４１は、タガネ１における大径部４と小径部３との境界に形成されている。衝止部４２は、把持杆１０の一端部に着脱可能に設けられ、タガネ１の小径部３の挿通を許容し、大径部４の挿通を不能にする大きさの挿通孔４３を有したキャップ状の部材である。把持杆１０の一端部には雄ネジ４４が形成され、衝止部４２の内側には、雄ネジ４４に螺合する雌ネジ４５が形成され、衝止部４２は、その雌ネジ４５を把持杆１０の雄ネジ４４に螺合することで、把持杆１０に取り付けられる。そして、段部４１は、衝止部４２の挿通孔４３の開口縁４６に衝止する。これにより、構造を簡単にして、抜け止めを行なうことができる。
【００１７】
従って、本考案の実施の形態に係る砕氷具Ｓを使用するときは以下のようにして行なう。先ず、図４（ａ）に示すように、把持杆１０を把持し、タガネ１の先端２を砕きたい氷Ｋ面に当接させ、把持杆１０を持ち上げてタガネ１を進出位置Ｘ側に位置させた後、図４（ｂ）に示すように、把持杆１０を振り下ろしてタガネ１を後退位置Ｙに位置させ、把持杆１０のストッパ部材２０にタガネ１の後端を衝止させる。これにより、タガネ１に衝撃荷重が加えられ、氷Ｋが砕かれる。この把持杆１０の持ち上げ振り下ろしは、１回若しくは適宜数繰り返し行ない、そして、適時にタガネ１の当接位置を移動させながら、路面の氷Ｋを砕氷していく。
【００１８】
この場合、把持杆１０はパイプ状であり、把持杆１０表面には把持するためのハンドルや凹凸が無いので、どの部分を把持しても良く、そのため、使用者の身長等によって砕氷具Ｓの使用が制限されることが無い。また、把持杆１０のどこでも把持できるので、例えば、屈んだ状態、しゃがんだ状態での砕氷が容易にでき、あるいは、作業者が高い位置から低い位置の氷Ｋに対して砕氷が容易にできる等、操作性が向上させられる。
【００１９】
また、砕氷の際には、タガネ１は把持杆１０の一端開口１１から出入りし、把持杆１０の他端開口１２から出ることはないので、砕氷時に把持杆１０が上下しても衣服や皮膚を巻き込んだり、挟んでしまうことがなく安全性が確保される。
更に、タガネ１が後退位置Ｙで、ストッパ部材２０に衝止した際には、ストッパ部材２０は溶接固定されているので、ストッパ部材２０の固定が強固になり、タガネ１の衝撃が確実に受けられる。
【００２０】
更にまた、この砕氷具Ｓの移動の際には、氷Ｋからタガネ１が離間し、タガネ１が進出位置Ｘに位置するが、タガネ１が進出位置Ｘに至ると、タガネ１の段部４１が衝止部４２の挿通孔４３の開口縁４６に衝止する。そのため、タガネ１が抜けることが防止され、この点でも安全性が確保される。
【００２１】
また、使用頻度が高く、タガネ１が損傷してきたような場合には、タガネ１を新しいタガネ１に交換する。この場合、衝止部４２を把持杆１０から外し、タガネ１を把持杆１０から抜き、新しいタガネ１を挿入し、再び、衝止部４２を把持杆１０にねじ込んで取り付ける。この場合、衝止部４２の取り付け取り外しにより容易にタガネ１を交換できる。
【００２２】
更に、種類の異なるタガネ１に交換して用いることもできる。例えば、図５に示すように、先端２が平盤状のヘラ型のタガネ１を用いることができる。この場合も、衝止部４２を把持杆１０から外し、タガネ１を把持杆１０から抜き、別のタガネ１を挿入し、再び、衝止部４２を把持杆１０にねじ込んで取り付ける。そのため、砕氷の条件に合わせた種々のタガネ１を用いることができるので、汎用性が向上させられる。
【００２３】
次に、別の実施の形態の砕氷具Ｓについて説明する。この砕氷具Ｓは、図６及び図７に示すように、タガネ１を断面多角形状（実施の形態では六角形状）に形成し、把持杆１０の一端開口１１をタガネ１の断面形状と同形状の多角形状（実施の形態では六角形状）に形成している。即ち、図７に示すように、衝止部４２の挿通孔４３を、把持杆１０の一端開口１１をタガネ１の断面形状と同形状の多角形状（実施の形態では六角形状）に形成している。多角形状なので、タガネ１が把持杆１０に対して回転することがなく、回り止めされることから、タガネ１の進退動を確実に行なわせることができる。他の作用，効果は、上記と同様である。
【００２４】
尚、上記実施の形態において、タガネ１の形状は、上述したものに限定されるものではなく、適宜変更して差支えない。
【産業上の利用可能性】
【００２５】
本発明は、寒冷地において、冬季に路面が氷結した際の氷の除去に使用でき、簡単な構造で取り扱いも容易なので、一般家庭等でも簡易に誰でも使用でき、極めて有用になる。
【図面の簡単な説明】
【００２６】
【図１】本考案の実施の形態に係る砕氷具を示す断面図である。
【図２】本考案の実施の形態に係る砕氷具を示す拡大断面図である。
【図３】本考案の実施の形態に係る砕氷具の要部を示す分解斜視図である。
【図４】本考案の実施の形態に係る砕氷具の使用方法を示す図である。
【図５】本考案の実施の形態に係る砕氷具において、別のタガネの例を示す図である。
【図６】本考案の別の実施の形態に係る砕氷具を示す断面図である。
【図７】本考案の別の実施の形態に係る砕氷具の要部を示す分解斜視図である。
【図８】従来の砕氷具の一例を示す図である。
【符号の説明】
【００２７】
Ｓ  砕氷具
Ｋ  氷
１  タガネ
２  先端
３  小径部
４  大径部
１０  把持杆
Ｘ  進出位置
Ｙ  後退位置
１１  一端開口
１２  他端開口
１３  栓
２０  ストッパ部材
４０  抜け止め手段
４１  段部
４２  衝止部
【図１】
0003107296.tif 000003
【図２】
0003107296.tif 000004
【図３】
0003107296.tif 000005
【図４】
0003107296.tif 000006
【図５】
0003107296.tif 000007
【図６】
0003107296.tif 000008
【図７】
0003107296.tif 000009
【図８】
0003107296.tif 000010